(57)【要約】【課題】  種々の形状に対応可能な構成や機能を有するとともに、簡単な操作で、充電端子の保護を図りつつ接触状況を正確に判断することができる充電器および充電機構を備えた電子機器を提供する。【解決手段】  充電対象の電池１が収容される電池収容部２と、電池収容部２の内部に設けられ、収容される電池１の電極１ａと弾性的に接触する導電部３ａを有する充電端子３と、電池収容部２の周囲を覆うケースカバー４と、充電端子３の上部を覆う保護カバー５と、を備え、電池収容時の導電部３ａの変動に伴い保護カバー５が移動可能であることを特徴とする。【選択図】  図１
2012080634.tif 000002
【特許請求の範囲】
【請求項１】
充電対象の電池が収容される電池収容部と、該電池収容部の内部に設けられ、収容される電池の電極と弾性的に接触する導電部を有する充電端子と、前記電池収容部の周囲を覆うケースカバーと、前記充電端子の上部を覆う保護カバーと、を備え、電池収容時の前記導電部の変動に伴い前記保護カバーが移動可能であることを特徴とする充電器。
【請求項２】
前記充電端子の一端に前記保護カバーを有し、前記導電部の変動に伴い前記保護カバーが移動可能であることを特徴とする請求項１に記載の充電器。
【請求項３】
前記充電端子が導電性を有するバネ体で形成され、前記電池の電極方向に突出し電極と接触するとともに、該導電部の移動に伴い前記保護カバーが該導電部と同方向に移動することを特徴とする請求項１または２に記載の充電器。
【請求項４】
前記充電端子の一端部または保護カバーの端部に接合部を備え、該接合部がそれぞれの接合の切り離しおよび再接合が可能であることを特徴とする請求項１〜３のいずれかに記載の充電器。
【請求項５】
前記充電端子の一端部および保護カバーの端部が、弾性を有するワイヤー部で形成されるとともに、前記接合部が、該ワイヤー部が挿入され導通可能とする端子からなり、充電端子と保護カバーの距離を調整可能とすることを特徴とする請求項４に記載の充電器。
【請求項６】
電池収容時に前記保護カバーの少なくとも一部が前記ケースカバー内に収容可能に移動することを特徴とする請求項１〜５のいずれかに記載の充電器。
【請求項７】
前記充電端子上部のケースカバーに切り欠き部が設けられ、電池収容時に前記保護カバーが該切り欠き部をカバー可能に移動することを特徴とする請求項１〜６のいずれかに記載の充電器。
【請求項８】
充電対象の電池が収容される電池収容部と、該電池収容部の内部に設けられ、収容される電池の電極と弾性的に接触する導電部を有する充電端子と、前記電池収容部の周囲を覆うケースカバーと、前記充電端子の上部を覆うとともに、電池収容時の前記導電部の変動に伴い前記保護カバーが移動可能である保護カバーと、を有する充電機構を備えることを特徴とする電子機器。
【発明の詳細な説明】
【技術分野】
【０００１】
本発明は、充電式電池用の充電器および充電機構を備えた電子機器に関し、具体的には、種々の厚みを有する充電式電池用に使用可能な充電器および該充電式電池用の充電機構を備えた電子機器に関するものである。
【背景技術】
【０００２】
近年、各種電子機器には、種々の形状の充電式電池が用いられている。こうした電池について、所定時間使用後に充電操作が必要となることから、電子機器本体に充電機能が設けられるか、あるいは取外しが容易な電池が設けられ、外部の専用充電器により充電されることが多い。特に、最近のように充電式電池自体の急速な長寿命化技術の進歩によって長期間使用可能な小型充電式電池が多く用いられ、さらに電子機器の小型軽量化に伴い、別体の充電器の需要が大きくなっている。このとき、こうした充電器には、簡単な操作で確実な充電を行なうことができる機能とともに、種々の形状に対応可能な構成や機能が要求される。
【０００３】
図７（Ａ）に示すような一般的な充電器１００では、図７（Ｂ）のように、電池１０１の専用収容部１０２が設けられ、充電中には充電用端子１０３が外部に露出していない構造が多い。しかし、厚みのある電池１０４に対して同じ構造とするためには、充電器１００が厚みのあるものとなることから、図７（Ｃ）のように、電池１０４を飛び出させた構造を採用することが多い。
【０００４】
一方、電池がセットされた状態で、電池の収容部、特に充電用端子にクリップなど金属のものが入り込むと電池の電極間をショートしてしまうおそれがある。このため、充電用端子を保護するカバーの配設が要求される。例えば、複数種類の電池パックを充電出来る充電器において、外的要因による充電端子変形、破壊や、金属アクセサリー等によるチェーンショート防止機能を備えた充電器を提供することを目的として、充電端子上部に可動式のつばを設けることで、複数種類の電池パックを充電することが可能となり、また電池が挿入されていない状態においても、プレートが充電端子を覆っているため、外的要因による端子の変形、破壊による充電機能の停止や金属部品が充電端子に触れることによって発生する短絡を防止する構成が提案されている（例えば特許文献１参照）。具体的には、図８は上記充電器２０１の断面図である。プレート２０５は上ケース２０２から伸びている突起部２１２およびカバー２０４によって位置規制されている。また突起部２１２にはバネ部材２０７が取り付けられ、これによりプレート２０５が電池パックの厚みに応じて垂直方向に可動する。またその際、プレート２０５は充電端子２０６上部に設けられていることにより、充電端子２０６の保護、すなわち外的要因による充電端子２０６の変形、破壊による充電機能の停止や金属部品が充電端子２０６に触れることによって発生する短絡を防止することができる。
【先行技術文献】
【特許文献】
【０００５】
【特許文献１】特開２００８−１７８２０３号公報
【発明の概要】
【発明が解決しようとする課題】
【０００６】
しかし、上記のような充電器では、以下のような種々の課題が生じることがあった。
（ｉ）充電用端子は、電池の電極の位置に対応した位置に設ける必要がある。上記図７のような充電器１００において、ケースの形状が制限される場合、あるいは電池の抜き勾配がある場合には、厚みのある電池１０４を収容すると、電池の電極あるいは充電用端子１０３が露出してしまうことがある。
（ii）また、充電用端子を保護するカバーが固定された場合、電池を挿入する時、カバーが邪魔になり収容が難しいことや電池が収容できないことがある。無理矢理挿入すると、カバーの破損に繋がりカバーの役割を果すことができないことがある。
（iii）上記図８のようなプレート２０５が垂直方向に可動する充電器２０１では、電池パック挿入時において、プレート２０５の動き（電池の厚み方向の動き）と充電端子２０６の動き（電池の平面方向の動き）に連動性がないことから、電池の電極と充電端子２０６の接触状況が正確に判断できないことがある。また、プレート２０５の可動方向が垂直方向に限定されることから、電池パックの挿入方向によってはプレート２０５に電池パックの角が当たり、可動性が損なわれ、あるいは充電端子２０６との十分な接触が確保できない可能性がある。
【０００７】
本発明は、上記実情に鑑みてなされたものであり、その目的は、種々の形状に対応可能な構成や機能を有するとともに、簡単な操作で、充電端子の保護を図りつつ接触状況を正確に判断することができる充電器および充電機構を備えた電子機器を提供することである。
【課題を解決するための手段】
【０００８】
本発明者らは、上記課題を解決するために鋭意研究を重ねた結果、以下に示す充電器および充電機構を備えた電子機器によって上記目的を達成できることを見出し、本発明を完成するに到った。
【０００９】
本発明は、充電器であって、充電対象の電池が収容される電池収容部と、該電池収容部の内部に設けられ、収容される電池の電極と弾性的に接触する導電部を有する充電端子と、前記電池収容部の周囲を覆うケースカバーと、前記充電端子の上部を覆う保護カバーと、を備え、電池収容時の前記導電部の変動に伴い前記保護カバーが移動可能であることを特徴とする。
【００１０】
こうした構成によれば、収容する電池の形状に関係なく、常に保護カバーによって充電端子の上部を覆うことができ、外部からの金属部品等の混入を抑制することができる。比較的シンプルな構成によって、特に、多種多様な厚みを有する電池に対応できるという従前にない優れた機能を有する。つまり、従前の課題に対して、以下のような機能を有するものである。
（ｉ）本発明に係る保護カバーは、厚みのある電池に対しても電池の電極あるいは充電端子が露出することを抑制することができる。
（ii）本発明に係る保護カバーは、充電端子の変動と連動することから、保護カバーの位置から充電端子と電池の電極との接点である導電部の位置を判断することができる。
（iii）さらに、当該保護カバーは、電池によって押し込まれる特定方向のみの可動ではなく、任意の方向の可動性をいくらか有することから、電池収容後の保護カバーの位置の微調整が可能であり、収容された電池への損傷回避等を図ることができる。
このように、本発明は、充電対象となる電池の種々の形状に対応可能な構成や機能を有するとともに、簡単な操作で、充電端子の保護を図りつつ接触状況の正確な判断を行なうことができる充電器を提供することが可能となった。
【００１１】
本発明は、上記充電器であって、前記充電端子の一端に前記保護カバーを有し、前記導電部の変動に伴い前記保護カバーが移動可能であることを特徴とする。
こうした構成によれば、充電端子の保護を図りつつ接触状況を正確に判断することができるとともに、弾性的な可動性を有する充電端子との連動性を有する保護カバーは、充電端子と同様、弾性的な可動性を有し、電池収容時の保護カバーの破損等を回避することができる。
【００１２】
本発明は、上記充電器であって、前記充電端子が導電性を有するバネ体で形成され、前記電池の電極方向に突出し電極と接触するとともに、該導電部の移動に伴い前記保護カバーが該導電部と同方向に移動することを特徴とする。
充電器から電池への確実な充電は、電池の電極と充電端子に設けられた導電部との確実な接触が不可欠である。充電操作においては、電池の電極からの押圧を導電部が直接受けることから、かかる部分が最も弾力性を要求される。本発明は、導電性を有するバネ体で充電端子を形成することによって、こうした要請を実現し、さらに導電部の形状を電池の電極方向に突出させることによって確実な接触を確保することができる。また、保護カバーが導電部と同方向に移動可能な構成とすることによって、充電端子と同様、弾性的な可動性を有し、電池収容時の保護カバーの破損等を回避するとともに、導電部を含む充電端子の確実な保護を図ることができる。
【００１３】
本発明は、上記充電器であって、前記充電端子の一端部または保護カバーの端部に接合部を備え、該接合部がそれぞれの接合の切り離しおよび再接合が可能であることを特徴とする。
充電器の課題の１つは、充電対象となる電池の種々の形状への対応可能性にある。本発明は、充電端子に接合された保護カバーを交換可能な構造にすることによって、当初設定された範囲を超える厚みの電池に対しても、その厚みに対応した充電端子と保護カバーの距離を確保し、電池の電極あるいは充電端子が露出することを抑制する等上記課題を解消することを可能とした。
【００１４】
本発明は、上記充電器であって、前記充電端子の一端部および保護カバーの端部が、弾性を有するワイヤー部で形成されるとともに、前記接合部が、該ワイヤー部が挿入され導通可能とする端子からなり、充電端子と保護カバーの距離を調整可能とすることを特徴とする。
上記のように、電池の厚みによって、導電部と保護カバーの距離あるいは充電端子と保護カバーの距離が調整できる充電器が好ましい。本発明は、こうした調整機構として、両者の接合・導通が可能なワイヤー部と端子からなる構成を適用したものであり、種々の電池の厚みに対応した充電端子と保護カバーの距離を確保し、電池の電極あるいは充電端子が露出することを抑制する等上記課題を解消することを可能とした。
【００１５】
本発明は、上記充電器であって、電池収容時に前記保護カバーの少なくとも一部が前記ケースカバー内に収容可能に移動することを特徴とする。
外部からの金属部品等から充電端子を保護するには、充電端子の動きに関係なく１の手段例えばケースカバーで行うことが好ましい一方、上記のように電池収容時の充電端子の動きに伴い充電端子の上部がケースカバーからずれることは充電操作上避けがたい。本発明は、こうした課題をカバーするために、充電端子の動きに連動して移動可能な保護カバーを設けることを特徴とするとともに、電池収容時に保護カバーがケースカバー内に収容可能に移動することによって、収容前は保護カバーとケースカバーを並列的に配置し、収容後は保護カバーとケースカバーを直列的に配置して、充電端子の保護を確実することができる。
【００１６】
本発明は、上記充電器であって、前記充電端子上部のケースカバーに切り欠き部が設けられ、電池収容時に前記保護カバーが該切り欠き部をカバー可能に移動することを特徴とする。
厚みの異なる電池の収容に際しては、電池収容時においてケースカバーで充電端子を保護することが難しい場合がある。本発明は、電池の収容の有無を問わず共通の手段、つまり保護カバーで充電端子を保護するものであり、充電端子の上部を開放し、その動きに連動して移動可能な保護カバーを設けることによって、その保護を確実することができるような構成とした。
【００１７】
本発明は、充電機構を備える電子機器であって、充電対象の電池が収容される電池収容部と、該電池収容部の内部に設けられ、収容される電池の電極と弾性的に接触する導電部を有する充電端子と、前記電池収容部の周囲を覆うケースカバーと、前記充電端子の上部を覆うとともに、電池収容時の前記導電部の変動に伴い前記保護カバーが移動可能である保護カバーと、を有する充電機構を備えることを特徴とする。
上記のような充電器の機能は、充電機能を内蔵する電子機器においても有用であり、同様な構成を有する充電機構を備えた電子機器について、充電対象となる電池の種々の形状に対応可能な構成や機能を有するとともに、簡単な操作で、充電端子の保護を図りつつ接触状況の正確な判断を行なうことができる。
【図面の簡単な説明】
【００１８】
【図１】本発明に係る充電器の１の構成例を示す概略図
【図２】本発明に係る充電器の他の構成例を示す概略図
【図３】本発明に係る充電器の構成例を示す概略図
【図４】本発明に係る充電器の構成例を示す概略図
【図５】本発明に係る充電器の構成例を示す概略図
【図６】本発明に係る充電器の構成例を示す概略図
【図７】従来技術に係る充電器の１の構成例を示す概略図
【図８】従来技術に係る充電器の他の構成例を示す概略図
【発明を実施するための形態】
【００１９】
本発明に係る充電器（以下「本充電器」という）は、充電対象の電池が収容される電池収容部と、電池収容部の内部に設けられ、収容される電池の電極と弾性的に接触する導電部を有する充電端子と、電池収容部の周囲を覆うケースカバーと、充電端子の上部を覆う保護カバーと、を備え、電池収容時の導電部の変動に伴い保護カバーが移動可能であることを特徴とする。以下、本発明の実施の形態について図面を参照しながら説明する。
【００２０】
＜本充電器の１の構成例（第１構成例）＞
本充電器の第１構成例の概要を、図１（Ａ），（Ｂ）に示す。本充電器は、電池１が収容される電池収容部２と、その内部に設けられた充電端子３と、電池収容部２の周囲を覆うケースカバー４と、充電端子３の上部を覆う保護カバー５とを備える。本充電器には、交流電源と接続された電源接続部６から電力が供給される。供給された電力は、電子回路７において整流等所定の処理がなされた後、充電端子３の導電部３ａおよび電池収容部２の接点（図示せず）を介して、電池収容部２に収容された電池１に供給され、所定時間の充電操作によって充電される。
【００２１】
図２は、（Ａ）本充電器に電池１が収容された状態および（Ｂ）未収容状態を示す電池収容部２の断面図である。図２（Ａ）において、電池収容部２の内部には、電子回路７に接続された充電端子３が備えられ、導電部３ａにおいて収容された電池１の電極１ａと接触している。導電部３ａは導電性を有するバネ体で形成され、電極１ａ方向に突出し電極１ａと接触する。これによって導電部３ａと電極１ａとの確実な接触を確保することができる。保護カバー５は、充電端子３の上部を覆うとともに、少なくともその一部がケースカバー４の下部、つまりケースカバー内に収容されている。このとき、充電端子３の上部を覆うことができ、外部からの金属部品等の混入を抑制することができる。特に、充電中は導電部３ａ（電極１ａ）に印加された正（または負）の電荷によって、導電部３ａに導電性の物質が付着しやすくなり、一旦付着すると他の部位とのショートだけではなく、付着物の除去が難しくなることから、こうした可能性を排除することによって、充電器の確実な充電機能を確保することができる。
【００２２】
図２（Ｂ）は、電池収容部２に電池１収容されていない状態における保護カバー５の状態を例示している。保護カバー５は、ケースカバー４がカバーできない充電端子３の上部を覆うことによって、常に充電端子３の上部を覆うことができ、外部からの金属部品等の混入を抑制することができる。上記の充電時の課題を予め抑制することができる。また、図２（Ｂ）の状態から、電池１の収容操作によって図２（Ａ）の状態へ移行する過程においても、充電端子３の一端に接合された保護カバー５が導電部３ａの変動に伴い移動することによって、常に充電端子３の上部を覆うことができるとともに、その弾性的な可動性から、電池１の収容時の保護カバー５あるいは電池１や電極１ａの破損等を回避することができる。
【００２３】
〔ケースカバーについて〕
ケースカバー４は、電池１との接触等に耐える所定の強度や弾力性を有するとともに、絶縁性を有する素材を用いることが好ましい。例えばポリカーボネート（ＰＣ）やアクリロニトリル−ブタジエン−スチレン共重合体（ＡＢＳ）等の樹脂製とすることができる。
【００２４】
〔充電端子について〕
充電端子３は、電池１の電極１ａと弾性的に接触する導電部３ａを有するものであれば特に制限はないが、本充電器では、保護カバー５と接合し、保護カバー５についても弾性的な可動性を確保することが好ましいことから、いくつかの好適な形態を挙げることができる。ここでは、充電端子３全体が導電性を有するバネ体で形成された場合を例に説明する。例えば、図３（Ａ）は、上記図１，２に例示した基本的な構成を示す。回旋部３ｂ下部のリード３ｃによって電子回路７に接続され、一体化されることによってコンパクト化を図ることができる。また、充電端子３の弾性は、充電端子３を構成するバネ体，回旋状に形成された回旋部３ｂおよび電極方向に突出した形状の導電部３ａを有することによって確保することができる。電池収容時の変形に十分に対応することができる。
【００２５】
また、図３（Ｂ）は、これに加えて、導電部３ａと保護カバー５の間に回旋部３ｄを設けた構成を例示する。導電部３ａの弾性の基点を電子回路７との接続部とし、その電導部３ａを基点として回旋部３ｄによる保護カバー５の弾性を確保することができることから、導電部３ａと保護カバー５の連動性を確保しつつ、各々独立した可動性を有する構成とすることが可能となる。これによって、電池１の種々の厚み等の形状の多様性に対応可能な構成や機能を有するとともに、充電端子３の保護を図りつつ接触状況の正確な判断を行なうことができる。
【００２６】
〔保護カバーについて〕
保護カバー５は、ケースカバー４と同材質の樹脂製とすることができる。保護カバー５は、充電端子３の一端に設けられ、電池収容時の導電部３ａの変動に伴い移動可能な構成を有する。つまり、充電端子３と保護カバー５が一体化され、連動性のある動作機能を有することが好ましい。具体的には、例えば図１〜３に例示するように、保護カバー５が充電端子３に接合された構成を挙げることができる。電池収容状態において、電池１との直接の接触がないように構成することによって、常に電池１の押圧を受けること、あるいは充電時の電池１の発熱の影響を受けることによる変形等を回避することができる。また、後述するように、充電端子３と保護カバー５との接続を切り離し（再接合）可能な構成や両者を端子で接合する構成が可能である。充電端子３と保護カバー５の、弾力性および連動性を有する可動機能を確保することができる。
【００２７】
また、保護カバー５を直接充電端子３に接合せずに、別の部材を介して連動性を確保する構成とすることができる。例えば、充電端子３の一端と保護カバー５の一部をカム等の動力伝達手段で間接的に連動させる構成によって、電池１の電極１ａとの関係で配置が制限される充電端子３に対して十分な保護が可能な位置に保護カバー５の配置ができるとともに、弾力性のある充電端子３からの変動を増幅あるいは緩衝させて保護カバー５に伝達することができる。また、充電端子３の一端に弾力性のある部材を設け、充電端子３と保護カバー５とを間接的に連動させることによって、充電端子３よりも移動範囲の広い保護カバー５に対してより大きな可動範囲を与えることができる。
【００２８】
また、保護カバー５は、電池収容操作に伴う移動によって、充電端子３（特に導電部３ａ）に対するカバー範囲のズレが少ない形状が好ましい。例えば、上記図３（Ａ）における移動の基点となる回旋部３ｂを中心とする半径Ｒの半円状体の一部を形成する断面形状を有することによって、電池１との接触を回避しながら所定のカバー範囲を確保することができる。
【００２９】
なお、本実施例では、電池収容状態において、保護カバー５が電池１との直接の接触がない構成を示したが、電池１と充電端子３とが十分に接触する構成であれば、保護カバー５と電池１が直接接触してもよい。
【００３０】
＜本充電器の他の構成例（第２構成例）＞
本充電器の第２構成例の概要を、図４（Ａ），（Ｂ）に例示する。基本構成は、第１構成例と同じであるが、本充電器は、充電端子３の上部のケースカバー４に切り欠き部（図４（Ａ）における保護カバー５の部位に相当）が設けられ、電池収容時に保護カバーが該切り欠き部をカバー可能に移動する。上記第１構成例との相違点を主に説明する。
【００３１】
図５は、（Ａ）本充電器に電池１が収容された状態および（Ｂ）未収容状態を示す電池収容部２の断面図である。厚みの異なる電池の収容に適し、特に厚みのある電池に対してケースカバー４に制限されずに対応可能な構造を有している。図５（Ａ）において、電池収容部２の充電端子３の上部のケースカバー４が切り欠かれ、保護カバー５によって覆われている。導電部３ａと電極１ａとの確実な接触を確保するとともに、保護カバー５が外部からの金属部品等の混入を抑制している。特に、充電端子３との接合部５ａとケースカバー４の側面との間の保護カバー後部５ｂが、電池収容時に、ケースカバー４の下部あるいは側面に沿って移動可能とすることによって、充電端子３の上部を隙間なくカバーすることができる。
【００３２】
図５（Ｂ）は、電池収容部２に電池１収容されていない状態における保護カバー５の状態を例示している。保護カバー５が、ケースカバー４がカバーしていない充電端子３の上部を覆うことによって、常に充電端子３の上部を覆うことができ、外部からの金属部品等の混入を抑制することができる。特に、保護カバー後部５ｂが、ケースカバー４の切り欠き部に位置することによって、充電端子３の上部の広い範囲をカバーすることができる。また、図５（Ｂ）の状態から、電池１の収容操作によって図５（Ａ）の状態へ移行する過程においても、保護カバー５が常に充電端子３の上部を覆うことができるとともに、その弾性的な可動性から保護カバー５あるいは電池１や電極１ａの破損等を回避することができる。
【００３３】
＜本充電器の第３の構成例＞
本充電器の第３構成例固有の主要部を、図６に例示する。基本構成は、第１，第２構成例と同じであるが、本充電器は、充電端子３と保護カバー５との接続を切り離し（再接合）可能な構成を有している。特に、充電端子３の一端部３ｅおよび保護カバー５の端部５ｃが、弾性を有するワイヤー部で形成されるとともに、一端部３ｅおよび端部５ｃが挿入され導通可能とする端子８によって接合される図６に示す構成においては、保護カバー５の交換あるいは充電端子３と保護カバー５の距離を調整することが可能となる。種々の電池の厚みに対応した充電端子と保護カバーの距離を確保することができる。ただし、切り離しおよび再接合可能な構成であれば、接合部は端子８に制限されるものではなく、フック形状あるいはテーパ形状等の雌雄で嵌合する接合部材等を用いることができる。
【００３４】
＜本発明に係る充電機構を備える電子機器＞
上記のような充電器の機能は、充電機能を内蔵する電子機器においても有用であり、同様な構成を有する充電機構を備えることによって、充電対象となる電池の種々の形状に対応可能な構成や機能を有するとともに、簡単な操作で、充電端子の保護を図りつつ接触状況の正確な判断を行なうことができる。具体的には、上記第１〜３構成例と同様の充電機構を備えるパーソナルコンピュータやオーディオプレイヤ等の電子機器を挙げることができる。充電対象の電池１が収容される電池収容部２と、電池収容部２の内部に設けられ、収容される電池１の電極１ａと弾性的に接触する導電部３ａを有する充電端子３と、電池収容部２の周囲を覆うケースカバー４と、充電端子３の上部を覆うとともに、電池収容時の導電部３ａの変動に伴い保護カバー５が移動可能である保護カバー５と、を有している（図示せず）。また、電子機器の本体ケースや開閉可能な本体ケースカバー（図示せず）によって、こうした充電機構全体をカバーすることによって、充電端子３を二重に保護することができるとともに、充電機構全体の保護を図ることができる。
【符号の説明】
【００３５】
１    電池
１ａ  電極
２    電池収容部
３    充電端子
３ａ  導電部
４    ケースカバー
５    保護カバー
６    電源接続部
７    電子回路
【図１】
2012080634.tif 000003
【図２】
2012080634.tif 000004
【図３】
2012080634.tif 000005
【図４】
2012080634.tif 000006
【図５】
2012080634.tif 000007
【図６】
2012080634.tif 000008
【図７】
2012080634.tif 000009
【図８】
2012080634.tif 000010